(57)【要約】【課題】熱圧着時の温度が低温（例えば、１８０℃以下）の場合においても、十分な接着強度、絶縁性および耐湿性を有する異方性導電性接着剤を提供すること。【解決手段】本発明の異方性導電性接着剤は、（Ａ）ダイマー酸に由来する炭化水素基を有するビスマレイミド化合物と、（Ｂ）（メタ）アクリレート化合物と、（Ｃ）ラジカル重合開始剤と、（Ｄ）導電性粒子とを含有することを特徴とするものである。【選択図】なし【特許請求の範囲】
【請求項１】
（Ａ）ダイマー酸に由来する炭化水素基を有するビスマレイミド化合物と、（Ｂ）（メタ）アクリレート化合物と、（Ｃ）ラジカル重合開始剤と、（Ｄ）導電性粒子とを含有する
ことを特徴とする異方性導電性接着剤。
【請求項２】
請求項１に記載の異方性導電性接着剤において、
前記（Ａ）ダイマー酸に由来する炭化水素基を有するビスマレイミド化合物は、少なくともダイマー酸から誘導されたジアミンとマレイン酸無水物とを反応させて得られる化合物である
ことを特徴とする異方性導電性接着剤。
【請求項３】
請求項１または請求項２に記載の異方性導電性接着剤において、
前記（Ａ）ダイマー酸に由来する炭化水素基を有するビスマレイミド化合物は、下記一般式（１）で表される化合物である
ことを特徴とする異方性導電性接着剤。
【化１】
2015193725.tif 000009
（前記一般式（１）中、Ｘは２価の有機基を示し、ｎは０〜１０の整数を示す。）
【請求項４】
請求項１〜請求項３のいずれか１項に記載の異方性導電性接着剤において、
前記（Ｂ）（メタ）アクリレート化合物は、１分子中に１つまたは２つ以上の（メタ）アクリル基を有する液状化合物であり、この液状化合物の２種以上からなる混合物である
ことを特徴とする異方性導電性接着剤。
【請求項５】
請求項１〜請求項４のいずれか１項に記載の異方性導電性接着剤において、
前記（Ｃ）ラジカル重合開始剤は、熱ラジカル重合開始剤および光ラジカル重合開始剤からなる群から選択される少なくとも１種である
ことを特徴とする異方性導電性接着剤。
【請求項６】
請求項１〜請求項５のいずれか１項に記載の異方性導電性接着剤において、
（Ｅ）活性剤をさらに含有し、
前記（Ｄ）導電性粒子は、スズとビスマスとの合金、スズと銀とビスマスとの合金、および、スズとインジウムとの合金のいずれかの合金からなるはんだ粉末である
ことを特徴とする異方性導電性接着剤。
【請求項７】
請求項６に記載の異方性導電性接着剤において、
前記（Ｄ）導電性粒子は、スズとビスマスとの合金からなるはんだ粉末であり、
前記はんだ粉末におけるビスマスの含有量は、スズとビスマスとの合計量１００質量％に対して、５８質量％以下である
ことを特徴とする異方性導電性接着剤。
【請求項８】
請求項６または請求項７に記載の異方性導電性接着剤において、
前記（Ｅ）活性剤は、融点１５０℃以下のモノカルボン酸およびジカルボン酸からなる群から選択される少なくとも１種である
ことを特徴とする異方性導電性接着剤。
【請求項９】
請求項１〜請求項８のいずれか１項に記載の異方性導電性接着剤において、
（Ｆ）熱可塑性エラストマーをさらに含有する
ことを特徴とする異方性導電性接着剤。
【請求項１０】
請求項１〜請求項９のいずれか１項に記載の異方性導電性接着剤がペースト状であることを特徴とする異方性導電性接着剤。
【請求項１１】
請求項１〜請求項１０のいずれか１項に記載の異方性導電性接着剤を用いて電極同士を接続したことを特徴とするプリント配線基板。
【発明の詳細な説明】
【技術分野】
【０００１】
本発明は、配線基板同士の接続や、電子部品と配線基板との接続に用いる異方性導電性接着剤およびそれを用いたプリント配線基板に関する。
【背景技術】
【０００２】
近年、フレキ基板（フレキシブル性を有する配線基板）とリジット基板（フレキシブル性を有しない配線基板）との接続や、電子部品と配線基板との接続には、異方性導電性接着剤（異方性導電性フィルム、異方性導電性ペースト）を用いた接続方式が利用されている。例えば、電子部品と配線基板とを接続する場合には、電極が形成された電子部品と、電極のパターンが形成された配線基板との間に異方性導電性接着剤を配置し、電子部品と配線基板とを熱圧着して電気的接続を確保している。
【０００３】
異方性導電性接着剤としては、例えば、基材となるバインダー樹脂に、金属微粒子や表面に導電膜を形成した樹脂ボールなどの導電性フィラーを分散させた材料（導電性フィラー系の異方性導電性接着剤）が提案されている（例えば、特許文献１）。異方性導電性接着剤を用いた配線基板などでは、不具合のあるものを再利用するリペア工程が重要である。なお、リペア工程とは、一度接着された電子部品を配線基板から剥がす工程と、配線基板を洗浄する工程とを備える。しかしながら、上記のような導電性フィラー系の異方性導電性接着剤を用いた場合、配線基板上の樹脂や導電性フィラーなどの残渣を十分に除去する作業には手間がかかり、一方で、配線基板上にある程度の残渣が残った状態で、再び異方性導電性接着剤を用いて電子部品との接続を図る場合には、導電性が確保できないという問題があった。このように、導電性フィラー系の異方性導電性接着剤では、ある程度のリペア性は有しているものの、必ずしも十分なレベルではなかった。また、導電性フィラー系の異方性導電性接着剤を用いた場合には、接続部分の接続信頼性を確保するために、接続対象である電子部品および配線基板の電極に金メッキ処理を施しておく必要があるなど、接続信頼性の点で問題があった。
【０００４】
また、異方性導電性接着剤としては、熱硬化性樹脂に、はんだ粉末と、硬化剤としての酸無水物と、活性剤とを含有するペーストが提案されている（例えば、特許文献２）。電子部品と配線基板とを熱圧着させると、接続対象である電子部品および配線基板の電極同士をはんだ接合することができ、これらの電極同士の間での導電性が確保される。一方、電子部品の電極同士の間隙や配線基板の電極同士の間隙では、樹脂成分内にはんだ粉末が埋設されたような状態となり、隣接電極間の絶縁性が確保される。
【先行技術文献】
【特許文献】
【０００５】
【特許文献１】特開２００３−１６５８２５号公報
【特許文献２】特開２００７−２８０９９９号公報
【発明の概要】
【発明が解決しようとする課題】
【０００６】
異方性導電性接着剤においては、接着強度、隣接電極間の絶縁性、電極同士の間での導通性、耐湿性などの諸特性が求められるが、さらに、電子部品への熱の影響を抑えるという観点から、熱圧着時の温度をより低くすることが求められている。しかしながら、特許文献２に記載のペーストにおいては、エポキシ樹脂などの熱硬化性樹脂とその硬化剤との反応に、比較的に高い温度と長い時間が必要となる。そのため、特許文献２に記載のペーストでは、熱圧着時の温度が低温（例えば、１８０℃以下）の場合には、接着強度を確保することができなかった。
【０００７】
そこで、本発明は、熱圧着時の温度が低温（例えば、１８０℃以下）の場合においても、十分な接着強度、絶縁性および耐湿性を有する異方性導電性接着剤、並びにそれを用いたプリント配線基板を提供することを目的とする。
【課題を解決するための手段】
【０００８】
前記課題を解決すべく、本発明は、以下のような異方性導電性接着剤およびプリント配線基板を提供するものである。
すなわち、本発明の異方性導電性接着剤は、（Ａ）ダイマー酸に由来する炭化水素基を有するビスマレイミド化合物と、（Ｂ）（メタ）アクリレート化合物と、（Ｃ）ラジカル重合開始剤と、（Ｄ）導電性粒子とを含有することを特徴とするものである。
【０００９】
本発明の異方性導電性接着剤においては、前記（Ａ）ダイマー酸に由来する炭化水素基を有するビスマレイミド化合物は、少なくともダイマー酸から誘導されたジアミンとマレイン酸無水物とを反応させて得られる化合物であることが好ましい。
本発明の異方性導電性接着剤においては、前記（Ａ）ダイマー酸に由来する炭化水素基を有するビスマレイミド化合物は、下記一般式（１）で表される化合物であることが好ましい。
【００１０】
【化１】
2015193725.tif 000002
【００１１】
（前記一般式（１）中、Ｘは２価の有機基を示し、ｎは０〜１０の整数を示す。）
本発明の異方性導電性接着剤においては、前記（Ｂ）（メタ）アクリレート化合物は、１分子中に１つまたは２つ以上の（メタ）アクリル基を有する液状化合物であり、この液状化合物の２種以上からなる混合物であることが好ましい。
本発明の異方性導電性接着剤においては、前記（Ｃ）ラジカル重合開始剤は、熱ラジカル重合開始剤および光ラジカル重合開始剤からなる群から選択される少なくとも１種であることが好ましい。
【００１２】
本発明の異方性導電性接着剤においては、（Ｅ）活性剤をさらに含有し、前記（Ｄ）導電性粒子は、スズとビスマスとの合金、スズと銀とビスマスとの合金、および、スズとインジウムとの合金のいずれかの合金からなるはんだ粉末であることが好ましい。
そして、この場合、前記（Ｄ）導電性粒子が、スズとビスマスとの合金からなるはんだ粉末であれば、前記はんだ粉末におけるビスマスの含有量は、スズとビスマスとの合計量１００質量％に対して、５８質量％以下であることが好ましい。
また、前記（Ｅ）活性剤は、融点１５０℃以下のモノカルボン酸およびジカルボン酸からなる群から選択される少なくとも１種であることが好ましい。
本発明の異方性導電性接着剤においては、（Ｆ）熱可塑性エラストマーをさらに含有することが好ましい。
【００１３】
本発明のプリント配線基板は、前記異方性導電性接着剤を用いて電極同士を接続したことを特徴とするものである。
【００１４】
なお、本発明において、異方性導電性接着剤とは、所定値以上の熱および所定値以上の圧力をかけた箇所では熱圧着方向（厚み方向）に導電性を持つようになるが、それ以外の箇所では隣接電極間の絶縁性を有する異方性導電性接着剤層を形成できる接着剤のことをいう。
また、本発明の異方性導電性接着剤が、熱圧着時の温度が低温の場合においても、十分な接着強度、絶縁性および耐湿性を有する理由は必ずしも定かではないが、本発明者らは以下のように推察する。
【００１５】
すなわち、本発明の異方性導電性接着剤においては、従来の異方性導電性接着剤とは異なり、（Ｂ）（メタ）アクリレート化合物を、（Ｃ）ラジカル重合開始剤により、ラジカル重合反応をさせることで、硬化反応が進行する。このようなラジカル重合反応は、エポキシ樹脂などの熱硬化性樹脂とその硬化剤との反応と比較して低温でかつ短時間で進行する。そして、前記（Ａ）成分〜前記（Ｄ）成分を含有する異方性導電性接着剤をラジカル重合反応によって硬化させたものについては、異方性導電性接着剤として要求される諸特性を満足できる。そのため、本発明の異方性導電性接着剤は、熱圧着時の温度が低温の場合においても、十分な接着強度、絶縁性および耐湿性を有するものと本発明者らは推察する。
また、異方性導電性接着剤として要求される諸特性（接着強度、隣接電極間の絶縁性、電極同士の間での導通性、耐湿性など）については、さらに高いレベルのものを求められている。本発明の異方性導電性接着剤においては、数多くの種類が存在する熱可塑性樹脂の中から、前記（Ａ）成分としてダイマー酸に由来する炭化水素基を有するビスマレイミド化合物を選択することにより、異方性導電性接着剤における接着強度および絶縁性の更なる向上を達成している。
【発明の効果】
【００１６】
本発明によれば、熱圧着時の温度が低温（例えば、１８０℃以下）の場合においても、十分な接着強度、絶縁性および耐湿性を有する異方性導電性接着剤、並びにそれを用いたプリント配線基板を提供できる。
【発明を実施するための形態】
【００１７】
先ず、本発明の異方性導電性接着剤について説明する。
本発明の異方性導電性接着剤は、以下説明する（Ａ）ダイマー酸に由来する炭化水素基を有するビスマレイミド化合物、（Ｂ）（メタ）アクリレート化合物、（Ｃ）ラジカル重合開始剤、および（Ｄ）導電性粒子を含有するものである。
【００１８】
［（Ａ）成分］
本発明に用いる（Ａ）成分は、ダイマー酸に由来する炭化水素基（−Ｃ３６Ｈ７２−基）を有するビスマレイミド化合物である。この（Ａ）成分としては、少なくともダイマー酸から誘導されたジアミンとマレイン酸無水物とを反応させて得られる化合物であって、これに鎖長延長成分としてテトラカルボン酸無水物およびトリカルボン酸無水物およびジアミン化合物などを任意の割合で含む混合物から生成される化合物を含む。このような化合物に連結基が含まれる場合、その種類は特に限定されない。これらの連結基としては、イミド基、アミド基、エーテル基、エステル基などが挙げられ、これらを複数組み合わせて含んでいてもよい。この（Ａ）成分としては、例えば、下記一般式（１）で表される化合物が挙げられる。
【００１９】
【化２】
2015193725.tif 000003
【００２０】
前記一般式（１）において、Ｘは２価の有機基を示し、ｎは０〜１０の整数を示す。
また、Ｘとしては、イミド構造を有する２価の有機基であることが好ましく、下記構造式（Ｘ１）〜（Ｘ３）で表される有機基が挙げられる。
【００２１】
【化３】
2015193725.tif 000004
【００２２】
【化４】
2015193725.tif 000005
【００２３】
【化５】
2015193725.tif 000006
【００２４】
前記（Ａ）成分の平均分子量は、流動性などの物性の観点から、５００〜１００００であることが好ましく、１０００〜５０００であることがより好ましい。
【００２５】
前記（Ａ）成分の配合量は、異方性導電性接着剤１００質量％に対して、３質量％以上３５質量％以下であることが好ましく、３質量％以上３０質量％以下であることがより好ましい。前記（Ａ）成分の配合量が前記下限未満では、得られる異方性導電性接着剤の接着強度および絶縁性が低下する傾向にあり、他方、前記上限を超えると、得られる異方性導電性接着剤の粘度が高くなり、取り扱い性が低下する傾向にある。
【００２６】
［（Ｂ）成分］
本発明に用いる（Ｂ）（メタ）アクリレート化合物は、（Ｂ１）１分子中に１つの（メタ）アクリル基を有する化合物や、（Ｂ２）１分子中に２つ以上の（メタ）アクリル基を有する化合物である。これらの（Ｂ１）成分および（Ｂ２）成分は、常温（２５℃）において液体の液状化合物であり、前記（Ａ）成分などを溶解させることができるものであることが好ましい。
【００２７】
前記（Ｂ１）成分としては、例えば、２−ヒドロキシ−３−フェノキシプロピル（メタ）アクリレート、テトラヒドロフルフリル（メタ）アクリレート、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、メトキシジエチレングリコール（メタ）アクリレート、メトキシトリエチレングリコール（メタ）アクリレート、２−エチルヘキシル（メタ）アクリレート、イソデシル（メタ）アクリレート、ｎ−ラウリル（メタ）アクリレート、トリデシル（メタ）アクリレート、ｎ−ステアリル（メタ）アクリレート、シクロヘキシル（メタ）アクリレート、ベンジル（メタ）アクリレート、フェノキシエチル（メタ）アクリレート、２−ヒドロキシエチル（メタ）アクリレート、イソボルニル（メタ）アクリレート、（メタ）アクリロイルモルフォリンが挙げられる。これらは１種を単独で用いてもよく、２種以上を混合して用いてもよいが、樹脂などの溶解性と硬化性などとのバランスをとるという観点から、２種以上の混合物を用いることが好ましい。また、これらの中でも、接着強度の観点からは、２−ヒドロキシ−３−フェノキシプロピルアクリレートが好ましく、熱可塑性樹脂などの溶解性の観点からは、テトラヒドロフルフリルアクリレートが好ましい。さらに、２−ヒドロキシ−３−フェノキシプロピルアクリレートおよびテトラヒドロフルフリルアクリレートを併用することが特に好ましく、このような場合、これらの質量比（２−ヒドロキシ−３−フェノキシプロピルアクリレート／テトラヒドロフルフリルアクリレート）を１／９以上２／１以下の範囲（より好ましくは、１／３以上２／１以下の範囲）とすることが好ましい。
【００２８】
前記（Ｂ２）成分としては、ウレタンアクリレート樹脂、エポキシアクリレート樹脂、シリコンアクリレート樹脂などが挙げられる。これらの中でも、接着強度の観点から、ウレタンアクリレート樹脂、エポキシアクリレート樹脂が好ましい。これらは１種を単独で用いてもよく、２種以上を混合して用いてもよい。これらの（Ｂ２）成分を適量添加することにより、得られる異方性導電性接着剤の接着強度を向上できる傾向にある。
前記（Ｂ２）成分の重量平均分子量は、８００以上であることが好ましく、１０００以上１００００以下であることがより好ましい。
【００２９】
前記（Ｂ）成分の配合量は、異方性導電性接着剤１００質量％に対して、２５質量％以上６０質量％以下であることが好ましく、３５質量％以上５５質量％以下であることがより好ましく、４０質量％以上５０質量％以下であることが特に好ましい。前記（Ｂ）成分の配合量が前記下限未満では、得られる異方性導電性接着剤の粘度が高くなり、取り扱い性が低下する傾向にあり、他方、前記上限を超えると、得られる異方性導電性接着剤の接着強度が低下する傾向にある。
【００３０】
［（Ｃ）成分］
本発明に用いる（Ｃ）ラジカル重合開始剤は、前記（Ｂ）成分などにおける不飽和二重結合のラジカル重合を開始させるためのものである。このようなラジカル重合開始剤としては、熱ラジカル重合開始剤、光ラジカル重合開始剤などが挙げられる。
前記熱ラジカル重合開始剤としては、例えば、ケトンパーオキサイド類、ジアシルキルパーオキサイド類、ハイドロパーオキサイド類、ジアルキルパーオキサイド類、パーオキシケタール類、アルキルパーエステル類、パーカーボネート類などの有機過酸化物が挙げられる。これらの熱ラジカル重合開始剤は１種を単独で用いてもよく、２種以上を混合して用いてもよい。また、これらの熱ラジカル重合開始剤の中でも、反応性と安定性とのバランスの観点から、ハイドロパーオキサイド類が好ましく、１，１，３，３−テトラメチルブチルパーオキシ−２−エチルヘキサノエート、ｔ−ブチルパーオキシ−２−エチルヘキサノエートがより好ましい。
光ラジカル重合開始剤としては、例えば、オキシム系開始剤、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−〔４−（メチルチオ）フェニル〕−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４′−ジエチルアミノベンゾフェノン、ジクロルベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロルチオキサントン、２，４−ジメチルチオキサントン、２，４ジエチルチオキサントン、ベンジルジメチルケタール、アセトフェノンジメチルケタール、Ｐ−ジメチルアミノ安息香酸エチルエステルが挙げられる。これらの光ラジカル重合開始剤は１種を単独で用いてもよく、２種以上を混合して用いてもよい。
【００３１】
前記（Ｃ）成分の配合量は、異方性導電性接着剤１００質量％に対して、０．１質量％以上７質量％以下であることが好ましく、１質量％以上５質量％以下であることがより好ましく、２質量％以上４質量％以下であることが特に好ましい。前記（Ｃ）成分の配合量が前記下限未満では、ラジカル重合における反応性が低下する傾向にあり、他方、前記上限を超えると、得られる異方性導電性接着剤の接着強度が低下する傾向にある。
【００３２】
［（Ｄ）成分］
本発明に用いる（Ｄ）導電性粒子としては、導電性を有する粒子（粉末）であれば、適宜公知のものを用いることができる。この（Ｄ）成分としては、電極同士の間での導通性の観点から、はんだ粉末を用いることが好ましい。このはんだ粉末は、２４０℃以下の融点を有することが好ましく、低温プロセス化の観点からは、１８０℃以下の融点を有するものであることがより好ましい。このはんだ粉末の融点が１８０℃を超えるものを用いる場合には、熱圧着時の温度が低温（例えば、１８０℃以下）の場合に、はんだ粉末を溶融させることができない傾向にある。また、このはんだ粉末の融点は、熱圧着時の温度を低くするという観点からは、１７０℃以下であることが好ましい。
また、このはんだ粉末は、環境への影響の観点から、鉛フリーはんだ粉末であることが好ましい。ここで、鉛フリーはんだ粉末とは、鉛を添加しないはんだ金属または合金の粉末のことをいう。ただし、鉛フリーはんだ粉末中に、不可避的不純物として鉛が存在することは許容されるが、この場合に、鉛の量は、１００質量ｐｐｍ以下であることが好ましい。
【００３３】
前記（Ｄ）成分は、スズ（Ｓｎ）、ビスマス（Ｂｉ）、銅（Ｃｕ）、銀（Ａｇ）、アンチモン（Ｓｂ）、インジウム（Ｉｎ）、亜鉛（Ｚｎ）、およびチタン（Ｔｉ）からなる群から選択される少なくとも１種の金属からなる金属または合金であることが好ましい。例えば、スズ基のはんだとしては、Ｓｎ−０．７Ｃｕなどのスズ−銅系；Ｓｎ−３．５Ａｇなどのスズ−銀系；Ｓｎ−３．０Ａｇ−０．５Ｃｕ、Ｓｎ−３．５Ａｇ−０．７Ｃｕ、Ｓｎ−１．０Ａｇ−０．７Ｃｕ、Ｓｎ−０．３Ａｇ−０．７Ｃｕなどのスズ−銀−銅系；Ｓｎ−２．５Ａｇ−１．０Ｂｉ−０．５Ｃｕ、Ｓｎ−１．０Ａｇ−２．０Ｂｉ−０．５Ｃｕなどのスズ−銀−ビスマス−銅系；Ｓｎ−３．５Ａｇ−０．５Ｂｉ−８．０Ｉｎなどのスズ−銀−ビスマス−インジウム系；Ｓｎ−１．０Ａｇ−０．７Ｃｕ−２．０Ｂｉ−０．２Ｉｎなどのスズ−銀−銅−ビスマス−インジウム系；Ｓｎ−５８Ｂｉなどのスズービスマス系；Ｓｎ−１．０Ａｇ−５８Ｂｉなどのスズ−銀−ビスマス系；Ｓｎ−５．０Ｓｂなどのスズーアンチモン系；Ｓｎ−９Ｚｎなどのスズ−亜鉛系；Ｓｎ−８．０Ｚｎ−３．０Ｂｉなどのスズ−亜鉛−ビスマス系；Ｓｎ−３０Ｉｎ−１２Ｓｂ−３Ｚｎなどのスズ−インジウム−アンチモン−亜鉛系；Ｓｎ−５６Ｂｉ−４Ｔｉなどのスズ−ビスマス−チタン系；Ｓｎ−３．５Ａｇ−４Ｔｉなどのスズ−銀−チタン系；Ｓｎ−５２Ｉｎなどのスズ−インジウム系などが挙げられる。インジウム基のはんだとしては、金属インジウムのインジウム系；Ｉｎ−３．０Ａｇなどのインジウム−銀系が挙げられる。また、上記金属、合金には更に微量成分として、上記の金属以外にも、鉄（Ｆｅ）、ニッケル（Ｎｉ）、コバルト（Ｃｏ）、モリブデン（Ｍｏ）、リン（Ｐ）、セリウム（Ｃｅ）、ゲルマニウム（Ｇｅ）、シリコン（Ｓｉ）、ガリウム（Ｇａ）、アルミニウム（Ａｌ）、ニオブ（Ｎｂ）、バナジウム（Ｖ）、カルシウム（Ｃａ）、マグネシウム（Ｍｇ）、ジルコニウム（Ｚｒ）、金（Ａｕ）、パラジウム（Ｐｄ）、白金（Ｐｔ）、鉛（Ｐｂ）などを含有していてもよい。これらの中でも、低融点特性の点からは、スズ−ビスマス系、スズ−銀−ビスマス系、スズ−インジウム系、インジウム系、インジウム−銀系などがより好ましい。
【００３４】
前記（Ｄ）成分の平均粒子径は、０．５μｍ以上５０μｍ以下であることが好ましく、３μｍ以上２０μｍ以下であることがより好ましい。前記（Ｄ）成分の平均粒子径が前記下限未満では、電子部品および配線基板間の導電性が低下する傾向にあり、他方、前記上限を超えると、配線と配線の間の絶縁性の確保ができなくなる場合がある。例えば、接続対象の配線間ギャップが例えば１００μｍ以下の場合に、位置合わせが生産プロセス上の精度により位置づれが生じて、ギャップが数１０μｍ程度になった際には、配線ギャップ間ではんだ粒子の最大径成分が、配線間でブリッジして、配線と配線の間の絶縁性の確保ができなくなる場合がある。なお、平均粒子径は、動的光散乱式の粒子径測定装置により測定できる。
【００３５】
前記（Ｄ）成分の配合量は、異方性導電性接着剤１００質量％に対して、１５質量％以上４０質量％以下であることが好ましく、１８質量％以上３０質量％以下であることがより好ましく、２０質量％以上２８質量％以下であることが特に好ましい。前記（Ｄ）成分の配合量が前記下限未満では、得られる異方性導電性接着剤の接着強度や導電性が低下する傾向にあり、他方、前記上限を超えると、得られる異方性導電性接着剤の絶縁性が低下する傾向にある。
【００３６】
また、本発明の異方性導電性接着剤は、前記（Ａ）成分〜前記（Ｄ）成分の他に、（Ｅ）活性剤や、（Ｆ）熱可塑性エラストマーや、（Ｇ）チクソ剤をさらに含有してもよい。
【００３７】
［（Ｅ）成分］
本発明に用いる（Ｅ）活性剤としては、有機酸（モノカルボン酸、ジカルボン酸など）の他に、ロジン系樹脂などの天然の樹脂酸や、カルボキシル基を有する単量体成分を用いて重合される樹脂酸が挙げられる。前記（Ｄ）成分としてはんだ粉末を用いる場合、この（Ｅ）成分により、はんだ粉末の表面を活性化できる。また、この（Ｅ）成分としては、活性作用の観点から、融点１５０℃以下のモノカルボン酸およびジカルボン酸を用いることが好ましい。
前記有機酸としては、公知の有機酸を適宜用いることができる。このような有機酸の中でも、保管中において結晶の析出が起こりにくいという観点から、アルキレン基を有する二塩基酸を用いることが好ましい。このようなアルキレン基を有する二塩基酸としては、例えば、グルタル酸、アジピン酸、２，５−ジエチルアジピン酸、２，４−ジエチルグルタル酸、２，２−ジエチルグルタル酸、３−メチルグルタル酸、２−エチル−３−プロピルグルタル酸、セバシン酸が挙げられる。これらの中でも、絶縁性の観点から、グルタル酸、が特に好ましい。
【００３８】
前記樹脂酸としては、例えば、１分子内に１つ以上のカルボキシル基と１つ以上の不飽和二重結合を有するカルボキシル基含有重合性不飽和化合物と、１分子内に１つ以上の不飽和二重結合を有する重合性不飽和化合物とを共重合させてなるカルボキシル基含有共重合体（樹脂酸）が挙げられる。
前記カルボキシル基含有重合性不飽和化合物としては、例えば、カルボキシル基含有（メタ）アクリル化合物が挙げられる。
前記重合性不飽和化合物としては、スチレン化合物などが挙げられる。これらの重合性不飽和化合物は１種を単独で用いてもよく、２種以上を混合して用いてもよい。
前記カルボキシル基含有共重合体は、前記カルボキシル基含有重合性不飽和化合物と前記重合性不飽和化合物とを共重合させてなるものである。具体的には、カルボキシル基含有（メタ）アクリル−スチレン共重合体などが挙げられる。これらの中でも、耐湿性の観点から、カルボキシル基含有（メタ）アクリル−スチレン共重合体が好ましい。
【００３９】
前記（Ｅ）成分の配合量は、異方性導電性接着剤１００質量％に対して、０．５質量％以上１０質量％以下であることが好ましく、１質量％以上７質量％以下であることがより好ましく、２質量％以上４質量％以下であることが特に好ましい。前記（Ｅ）成分の配合量が前記下限未満では、はんだ粉末の表面への活性作用が低下する傾向にあり、他方、前記上限を超えると、得られる異方性導電性接着剤の絶縁性や耐湿性が低下する傾向にある。
【００４０】
［（Ｆ）成分］
本発明に用いる（Ｆ）熱可塑性エラストマーとしては、公知の熱可塑性エラストマーを適宜用いることができる。この（Ｆ）成分により、得られる異方性導電性接着剤の接着強度や耐湿性を更に向上できる。このような熱可塑性エラストマーとしては、例えば、スチレン系熱可塑性エラストマー、フェノキシ樹脂エラストマー、オレフィン系熱可塑性エラストマー、塩化ビニル系熱可塑性エラストマー、ウレタン系熱可塑性エラストマー、アミド系熱可塑性エラストマーが挙げられる。これらの中でも、スチレン系熱可塑性エラストマー、フェノキシ樹脂エラストマーが好ましい。
前記（Ｆ）成分の配合量は、異方性導電性接着剤１００質量％に対して、３質量％以上２０質量％以下であることが好ましい。前記（Ｆ）成分の配合量が前記範囲外の場合には、得られる異方性導電性接着剤の接着強度や耐湿性を向上させるという効果を奏しにくくなる傾向にある。
【００４１】
［（Ｇ）成分］
本発明に用いる（Ｇ）チクソ剤としては、公知のチクソ剤を適宜用いることができる。このようなチクソ剤としては、例えば、脂肪酸アマイド、水添ヒマシ油、オレフィン系ワックス、無機微粒子（アモルファスシリカなど）、有機微粒子（アクリル系樹脂など）が挙げられる。これらの中でも、脂肪酸アマイド、アモルファスシリカが好ましく、特に、得られる異方性導電性接着剤のにじみにくさの観点からは、アモルファスシリカが好ましい。アモルファスシリカとしては、アエロジルＲ９７４、アエロジル２００などが挙げられる。
前記（Ｇ）成分の配合量は、異方性導電性接着剤１００質量％に対して、０．５質量％以上４質量％以下であることが好ましい。前記（Ｇ）成分の配合量が前記下限未満では、チクソ性付与の効果を奏しにくくなる傾向にあり、他方、前記上限を超えると、得られる異方性導電性接着剤を硬化させた際の泡残りが発生しやすくなる傾向にある。
【００４２】
本発明の異方性導電性接着剤は、必要に応じて、前記（Ａ）成分〜前記（Ｇ）成分の他に、前記（Ｆ）成分以外の熱可塑性樹脂、前記（Ｂ）成分以外の希釈剤、前記（Ｅ）成分以外の活性剤、界面活性剤、カップリング剤、消泡剤、粉末表面処理剤、反応抑制剤、沈降防止剤などの添加剤を含有していてもよい。これらの添加剤の含有量としては、異方性導電性接着剤１００質量％に対して、０．０１質量％以上１０質量％以下であることが好ましく、０．０５質量％以上５質量％以下であることがより好ましい。添加剤の含有量が前記下限未満では、それぞれの添加剤の効果を奏しにくくなる傾向にあり、他方、前記上限を超えると、得られる異方性導電性接着剤の諸特性が低下する傾向にある。
本発明の異方性導電性接着剤は、以上説明した各成分を配合し、混合することにより製造できる。そして、この異方性導電性接着剤は、ペースト状の異方性導電性ペーストであってもよく、フィルム状に成形してなる異方性導電性フィルムであってもよい。
【００４３】
次に、本発明のプリント配線基板について説明する。
本発明のプリント配線基板は、前述した本発明の異方性導電性接着剤を用いて電極同士を接続したことを特徴とするものである。具体的には、次のようにして、電極同士を接続することで、本発明のプリント配線基板を製造できる。ここでは、ペースト状の異方性導電性接着剤を用いて、配線基板および電子部品の電極同士を接続する場合を例に挙げて説明する。
このように配線基板および電子部品の電極同士を接続する方法としては、前記配線基板上に前記異方性導電性接着剤を塗布する塗布工程と、前記異方性導電性接着剤上に前記電子部品を配置し、前記はんだ粉末の融点よりも１℃以上（好ましくは１０℃以上）高い温度で、前記電子部品を前記配線基板に熱圧着する熱圧着工程と、を備える方法を採用できる。
ここで、電子部品としては、チップ、パッケージ部品などの他に、配線基板を用いてもよい。配線基板としては、フレキシブル性を有するフレキ基板、フレキシブル性を有しないリジット基板のいずれも用いることができる。さらに、電子部品としてフレキ基板を用いる場合には、２つの配線基板（リジット基板）とそれぞれ接続を図ることで、リジット基板同士をフレキ基板を介して電気的に接続することもできる。また、フレキ基板同士をフレキ基板を介して電気的に接続しても構わない。
【００４４】
塗布工程においては、前記配線基板上に前記異方性導電性接着剤（ペースト状の異方性導電性接着剤）を塗布する。
ここで用いる塗布装置としては、例えば、ディスペンサー、スクリーン印刷機、ジェットディスペンサー、メタルマスク印刷機が挙げられる。
また、塗布膜の厚みは、特に限定されないが、５０μｍ以上５００μｍ以下であることが好ましく、１００μｍ以上３００μｍ以下であることがより好ましい。厚みが前記下限未満では、配線基板の電極上に電子部品を搭載した際の付着力が低下する傾向にあり、他方、前記上限を超えると、接続部分以外にもペーストがはみ出しやすくなる傾向にある。
【００４５】
熱圧着工程においては、前記異方性導電性接着剤上に前記電子部品を配置し、前記はんだ粉末の融点よりも１℃以上高い温度で、前記電子部品を前記配線基板に熱圧着する。
熱圧着時の温度が、前記はんだ粉末の融点よりも１℃以上高いという条件を満たさない場合には、はんだを十分に溶融させることができず、電子部品および配線基板の間に十分なはんだ接合を形成できず、電子部品および配線基板の間の導電性が不十分となる。
熱圧着時の温度は、１３０℃以上２００℃以下とすることが好ましく、１４０℃以上１８０℃以下とすることがより好ましい。
熱圧着時の圧力は、特に限定されないが、０．０５ＭＰａ以上３ＭＰａ以下とすることが好ましく、０．１ＭＰａ以上２ＭＰａ以下とすることがより好ましい。圧力が前記上限未満では、電子部品および配線基板の間に十分なはんだ接合を形成できず、電子部品および配線基板の間の導電性が低下する傾向にあり、他方、前記上限を超えると配線基板にストレスがかかり、デッドスペースを広くとらなければならなくなる傾向にある。
なお、本発明においては、上記のように、熱圧着時の圧力を、従来の導電性フィラー系の異方性導電性接着剤を用いる方法による場合と比較して、低い圧力範囲に設定することができる。そのため、熱圧着工程に用いる装置の低コスト化を達成することもできる。
熱圧着時の時間は、特に限定されないが、通常、１秒以上６０秒以下であり、２秒以上２０秒以下であることが好ましく、３秒以上１０秒以下であることがより好ましい。
【００４６】
また、このように配線基板および電子部品の電極同士を接続する方法においては、以下説明する剥離工程、再塗布工程および再熱圧着工程をさらに備えていてもよい。
【００４７】
剥離工程においては、前記はんだ粉末の融点よりも１℃以上高い温度で、前記電子部品を前記配線基板から剥離する。
ここで、電子部品を配線基板から剥離する方法は、特に限定されない。このような方法としては、例えば、はんだごてなどを用いて接続部分を加熱しながら、電子部品を配線基板から剥離する方法を採用することができる。なお、このような場合に、リペアに用いる公知の剥離装置を用いてもよい。
また、電子部品を配線基板から剥離した後に、必要に応じて、溶剤などで前記配線基板上を洗浄してもよい。
【００４８】
再塗布工程においては、剥離工程後の配線基板上に前記異方性導電性接着剤を塗布する。ここで、塗布装置や塗布膜の厚みは、前記塗布工程と同様のものや条件を採用することができる。
再熱圧着工程においては、再塗布工程後の異方性導電性接着剤上に前記電子部品を配置し、前記はんだ粉末の融点よりも１℃以上高い温度で、前記電子部品を前記配線基板に熱圧着する。ここで、熱圧着時の温度、圧力および時間は、前記塗布工程と同様の条件を採用することができる。
【００４９】
以上説明した電子部品の接続方法によれば、電子部品および配線基板の電極同士がはんだ接合されるために、従来の導電性フィラー系の異方性導電性接着剤のように、電極および導電性フィラーが接触し合うことで接続されている場合と比較して、極めて高い接続信頼性を達成できる。また、熱圧着後において、はんだ粉末の融点以上の温度の熱をかければ、はんだは溶融させることができ、また、熱硬化性樹脂組成物も軟化させることができることから、配線基板から電子部品を容易に剥離することができる。また、本発明では、剥離後に再び異方性導電性接着剤を用いて配線基板と電子部品との接続を図る場合に、電極などにある程度の残渣（はんだなど）が残っていたとしても、それらの残渣を併せてはんだ接合することができ、導電性を確保できる。そのため、前記電子部品の接続方法は、従来の導電性フィラー系の異方性導電性接着剤を用いる方法と比較して、リペア性が優れている。
【００５０】
また、本発明の異方性導電性接着剤を用いた接続方法は、前記接続方法に限定されるものではなく、本発明の目的を達成できる範囲での変形、改良などは本発明に含まれるものである。
例えば、前記接続方法では、熱圧着工程により、配線基板と電子部品とを接着しているが、これに限定されない。例えば、熱圧着工程に代えて、レーザー光を用いて異方性導電性接着剤を加熱する工程（レーザー加熱工程）により、配線基板と電子部品とを接着してもよい。この場合、レーザー光源としては、特に限定されず、金属の吸収帯に合わせた波長に応じて適宜採用できる。レーザー光源としては、例えば、固体レーザー（ルビー、ガラス、ＹＡＧなど）、半導体レーザー（ＧａＡｓ、ＩｎＧａＡｓＰなど）、液体レーザー（色素など）、気体レーザー（Ｈｅ−Ｎｅ、Ａｒ、ＣＯ２、エキシマーなど）が挙げられる。
【実施例】
【００５１】
次に、本発明を実施例および比較例によりさらに詳細に説明するが、本発明はこれらの例によってなんら限定されるものではない。なお、実施例および比較例にて用いた材料を以下に示す。
（（Ａ）成分）
マレイミド化合物Ａ：長鎖アルキルビスマレイミド（一般式（１）で表される化合物であって、ｎが０であるもの）、商品名「ＢＭＩ６８９」、ＤＥＳＩＧＮＥＲ  ＭＯＬＥＣＵＬＥＳ  ＩＮＣ．社製
マレイミド化合物Ｂ：長鎖アルキルビスマレイミド（一般式（１）で表される化合物であって、Ｘが構造式（Ｘ１）で表される基であるもの、分子量は約１５００）、商品名「ＢＭＩ１５００」、ＤＥＳＩＧＮＥＲ  ＭＯＬＥＣＵＬＥＳ  ＩＮＣ．社製
マレイミド化合物Ｃ：長鎖アルキルビスマレイミド（一般式（１）で表される化合物であって、Ｘが構造式（Ｘ２）で表される基であるもの、分子量は約１７００）、商品名「ＢＭＩ１７００」、ＤＥＳＩＧＮＥＲ  ＭＯＬＥＣＵＬＥＳ  ＩＮＣ．社製
マレイミド化合物Ｄ：長鎖アルキルビスマレイミド（一般式（１）で表される化合物であって、Ｘが構造式（Ｘ３）で表される基であるもの、分子量は約３０００）、商品名「ＢＭＩ３０００」、ＤＥＳＩＧＮＥＲ  ＭＯＬＥＣＵＬＥＳ  ＩＮＣ．社製
（（Ｂ）成分）
（メタ）アクリレート化合物Ａ：２−ヒドロキシ−３−フェノキシプロピルアクリレート、商品名「ニューフロンティア  ＰＧＡ」、第一工業製薬社製
（メタ）アクリレート化合物Ｂ：テトラヒドロフルフリルアクリレート、商品名「ビスコート♯１５０」、大阪有機化学工業社製
（メタ）アクリレート化合物Ｃ：エポキシアクリレート樹脂、商品名「ネオポール  ８３５１」、日本ユピカ社製
（メタ）アクリレート化合物Ｄ：ウレタンアクリレート樹脂、商品名「ＵＮ６０６０Ｐ」、根上工業社製
（（Ｃ）成分）
ラジカル重合開始剤：１，１，３，３−テトラメチルブチルパーオキシ−２−エチルヘキサノエート、商品名「パーオクタＯ」、日油社製
（（Ｄ）成分）
はんだ粉末：平均粒子径は１２μｍ、はんだの融点は１３９℃、はんだの組成は４２Ｓｎ／５８Ｂｉ
（（Ｅ）成分）
活性剤Ａ：グルタル酸
活性剤Ｂ：マロン酸
（（Ｆ）成分）
熱可塑性エラストマーＡ：スチレン系熱可塑性エラストマー、商品名「ＦＧ１９０１ＧＴ−１０００」、クレイトンポリマー社製
熱可塑性エラストマーＢ：フェノキシ樹脂エラストマー、商品名「フェノトートＹＰ−７０」、新日鐵住金化学社製
（（Ｇ）成分）
チクソ剤Ａ： アモルファスシリカ、商品名「ＡＥＲＯＳＩＬ  Ｒ９７４」、日本アエロジル社製
チクソ剤Ｂ： アクリル系樹脂、商品名「スタフィロイド  ＡＣ−３８１６Ｎ」、アイカ工業社製
チクソ剤Ｃ： アクリル系樹脂、商品名「スタフィロイド  ＡＣ−４０３０」、アイカ工業社製
チクソ剤Ｄ： シリカ含有アクリル系樹脂、商品名「メタブレン  Ｊ−５８００」、三菱レイヨン社製
（他の成分）
マレイミド化合物Ｅ：Ｎ−シクロヘキシルマレイミド、商品名「イミレックス−Ｃ」、日本触媒社製
マレイミド化合物Ｆ：Ｎ−フェニルマレイミド、商品名「イミレックス−Ｐ」、日本触媒社製
マレイミド化合物Ｇ：４，４’−ビスマレイミドジフェニルメタン、商品名「ＢＭＩ」、ケイ・アイ化成社製
【００５２】
［実施例１］
マレイミド化合物Ａ２０質量部、（メタ）アクリレート化合物Ａ２０質量部、（メタ）アクリレート化合物Ｂ１５質量部および活性剤Ａ２質量部を容器に投入する（なお、必要に応じて、予め、マレイミド化合物Ａなどを（メタ）アクリレート化合物Ａなどに溶解させてもよい）。その後、チクソ剤Ａ２質量部を容器に投入し、攪拌機にて予備混合した後、３本ロールを用いて室温にて混合し分散させて樹脂組成物を得た。
その後、得られた樹脂組成物５９質量部に対し、ラジカル重合開始剤３質量部およびはんだ粉末２２質量部を容器に投入し、混練機にて２時間混合することで異方性導電性接着剤を調製した。
次に、リジット基板（ライン幅：１００μｍ、ピッチ：２００μｍ、銅厚：１８μｍ、電極：銅電極に水溶性プリフラックス処理（タムラ製作所社製））上に、得られた異方性導電性ペーストをディスペンサーにて塗布した（厚み：０．２ｍｍ）。そして、塗布後の異方性導電性接着剤上に、フレキ基板（ライン幅：１００μｍ、ピッチ：２００μｍ、銅厚：１２μｍ、電極：銅電極に金メッキ処理（Ｃｕ／Ｎｉ／Ａｕ））を配置し、熱圧着装置（アドバンセル社製）を用いて、温度１５０℃、圧力１．０ＭＰａ、圧着時間６秒の条件で、フレキ基板をリジット基板に熱圧着して、フレキ基板付のリジット基板（評価基板）を作製した。
【００５３】
［実施例２〜１３および比較例１〜４］
表１および表２に示す組成に従い各材料を配合した以外は実施例１と同様にして、異方性導電性ペーストを得た。
また、得られた異方性導電性ペーストを用いた以外は実施例１と同様にして、フレキ基板付のリジット基板（評価基板）を作製した。
【００５４】
＜異方性導電性接着剤の評価＞
異方性導電性接着剤の評価（硬化性、接着強度、絶縁性、耐湿性）を以下のような方法で行った。実施例について得られた結果を表１に示す。比較例について得られた結果を表２に示す。
（１）硬化性
示差走査熱量測定機（セイコーインスツルメンツ社製の「ＥＸＳＴＡＲ６０００」）を用い、評価基板における吸熱および発熱ピークを得た後、発熱ピークのみを積算させ、反応発熱量を算出した。また、異方性導電性ペースト（前駆体であり硬化させていないもの）について同様に反応発熱量を算出し、硬化前と硬化後の反応発熱量から反応率［｛（硬化前の反応発熱量）−（硬化後の反応発熱量）｝／（硬化前の反応発熱量）×１００％］を求めた。硬化性は、以下の基準に従って評価した。
○：反応率が９０％以上である。
△：反応率が８０％以上９０％未満である。
×：反応率が８０％未満である。
（２）接着強度（ピール強度）
試験機（Ｄａｇｅ社製の「Ｄａｇｅ４０００」）を用い、評価基板におけるリジット基板に対するフレキ基板の角度が９０度となるようにして、フレキ基板を試験速度５０ｍｍ／ｍｉｎで引っ張り、そのときのピール強度（単位：Ｎ／ｍｍ）を測定した。接着強度は、以下の基準に従って評価した。
○：ピール強度が０．８Ｎ／ｍｍ以上である。
△：ピール強度が０．６Ｎ／ｍｍ以上０．８Ｎ／ｍｍ未満である。
×：ピール強度が０．６Ｎ／ｍｍ未満である。
（３）絶縁性
評価基板の櫛形回路の部分に、ハイレジスタントメーター（Ａｇｉｌｅｎｔ社製）を用いて、１５Ｖの電圧を印加した時の絶縁抵抗値（単位：Ω）を測定した。絶縁性は、以下の基準に従って評価した。
○：絶縁抵抗値が１．０×１０１０Ω以上である。
△：絶縁抵抗値が１．０×１０８Ω以上１．０×１０１０Ω未満である。
×：絶縁抵抗値が１．０×１０８Ω未満である。
（４）耐湿性（耐湿熱試験後における（i）接着強度および（ii）絶縁性）
（i）接着強度の評価基板を、８５℃、８５％ＲＨ（相対湿度）中にて１０００時間放
置して、耐湿熱試験後の試験片を得た。（ii）絶縁性の評価基板を、８５℃、８５％ＲＨ（相対湿度）中にて、１０００時間１５Ｖ電圧を印加しつつ放置して、耐湿熱試験後の試験片を得た。これらの試験片について、上記の方法と同様の方法で、耐湿熱試験後における（i）接着強度および（ii）絶縁性を評価した。なお、耐湿熱試験後における（i）接着強度については、以下の基準に従って評価し、（ii）絶縁性については、上記と同様の基準に従って評価した。
（i）接着強度
○：ピール強度が０．６Ｎ／ｍｍ以上である。
△：ピール強度が０．４Ｎ／ｍｍ以上０．６Ｎ／ｍｍ未満である。
×：ピール強度が０．４Ｎ／ｍｍ未満である。
【００５５】
【表１】
2015193725.tif 000007
【００５６】
【表２】
2015193725.tif 000008
【００５７】
表１および表２に示す結果からも明らかなように、本発明の異方性導電性ペーストを用いた場合（実施例１〜１３）には、熱圧着時の温度が低温の場合においても、十分な接着強度を確保でき、しかも十分な硬化性や絶縁性も確保できることが確認された。
これに対し、（Ａ）成分を含有しないものを用いた場合（比較例１〜４）には、熱圧着時の温度が低温の場合において、接着強度を確保できず、また、絶縁性や耐湿性に劣ることが確認された。
【産業上の利用可能性】
【００５８】
本発明の異方性導電性接着剤は、配線基板同士（例えば、フレキ基板とリジット基板）を接続する技術や、電子部品と配線基板とを接続する技術として好適に用いることができる。